(57)【特許請求の範囲】
【請求項１】
車両のインストルメントパネルにおけるフロントガラスとの対向壁に嵌め込まれて当該インストルメントパネル内に配置された画像投影機が前記フロントガラスに画像を投影するための開口の周縁の全部を形成するベゼル部材を有するベゼル体であって、
前記ベゼル部材の内側に設けられ、前記ベゼル部材に向かって光を照射する光源部を備え、
前記ベゼル部材が、前記光源部から照射された光が前記フロントガラスに投影されるように、全体が前記光源部の光を透過するように構成され、かつ、前記開口の周縁の全部を形成するように平面視環状に形成され、
前記光源部が前記ベゼル部材の全体に光を照射するように設けられ、
前記ベゼル部材が、該ベゼル部材の外縁部から内縁部に向かうに従って厚さが徐々に変化するように形成されている
ことを特徴とするベゼル体。
【請求項２】
車両のインストルメントパネルにおけるフロントガラスとの対向壁に嵌め込まれて当該インストルメントパネル内に配置された画像投影機が前記フロントガラスに画像を投影するための開口の周縁の一部又は全部を形成するベゼル部材を有するベゼル体であって、
前記ベゼル部材の内側に設けられ、前記ベゼル部材に向かって光を照射する光源部を備え、
前記ベゼル部材が、前記光源部から照射された光が前記フロントガラスに投影されるように、少なくとも一部が前記光源部の光を透過するように構成され、
前記ベゼル体における前記光源部から照射された光を透過させる部分が、前記フロントガラスに所定の情報を示す記号の形状を有している
ことを特徴とするベゼル体。
【請求項３】
前記光源部が、前記ベゼル部材の外縁部及び内縁部の少なくとも一方に対向して配置されている
ことを特徴とする請求項１に記載のベゼル体。
【請求項４】
車両のインストルメントパネル内に配置された画像投影機と、前記インストルメントパネルにおけるフロントガラスとの対向壁に嵌め込まれて前記画像投影機が前記フロントガラスに画像を投影するための開口の周縁の一部又は全部を形成するベゼル部材を有するベゼル体と、を備える車両用表示装置であって、
前記ベゼル体が、請求項１〜３のいずれか１項に記載のベゼル体で構成されている
ことを特徴とする車両用表示装置。
【発明の詳細な説明】
【技術分野】
【０００１】
本発明は、車両のインストルメントパネルに配設されるベゼル体及びそれを備えた車両用表示装置に関する。
【背景技術】
【０００２】
従来、車両のフロントガラスへの画像の投影を行うヘッドアップディスプレイ装置としての車両用表示装置がインストルメントパネル内に設けられている（例えば、特許文献１参照）。特許文献１に記載された車両用表示装置７００は、図１６に示すように、フロントガラスＦとの対向壁Ａに設けられた開口Ｈを有するインストルメントパネルＩ内に取り付けられ、画像投影機７０１により開口Ｈを通じてフロントガラスＦに画像を投影するものである。
【先行技術文献】
【特許文献】
【０００３】
【特許文献１】特開２００７−１４８０９２号公報
【発明の概要】
【発明が解決しようとする課題】
【０００４】
画像投影機７０１は、表示源７１１と、表示源からの画像を反射するための反射部７１２と、表示源７１１及び反射部７１２が収容される筐体７１３と、を有している。筐体７１３の上面には開口７１３ａが形成されている。画像投影機７０１は、表示源７１１により投影された画像を反射部７１２で反射して開口７１３ａを通じてフロントガラスＦに投影する。これにより、車両の搭乗者がフロントガラスＦ上に表示された画像として認識する。図１６に示すＥＰは、この搭乗者のアイポイントを示している。
【０００５】
しかしながら、車両用表示装置７００によりフロントガラスＦ上に表示される画像の視認性を向上させたり、搭乗者に対して注意喚起をしたり、車両用表示装置７００により表示される画像以外の情報をフロントガラスＦ上に表示させたりするなど、光を用いて、様々な視覚効果を演出することが求められていた。
【０００６】
従って、本発明は、上記のような問題点に着目し、光を用いて、様々な視覚効果を演出することができるベゼル体及びそれを備えた車両用表示装置を提供することを目的とする。
【課題を解決するための手段】
【０００７】
上記課題を解決するために、請求項１に記載された発明は、車両のインストルメントパネルにおけるフロントガラスとの対向壁に嵌め込まれて当該インストルメントパネル内に配置された画像投影機が前記フロントガラスに画像を投影するための開口の周縁の全部を形成するベゼル部材を有するベゼル体であって、前記ベゼル部材の内側に設けられ、前記ベゼル部材に向かって光を照射する光源部を備え、前記ベゼル部材が、前記光源部から照射された光が前記フロントガラスに投影されるように、全体が前記光源部の光を透過するように構成され、かつ、前記開口の周縁の全部を形成するように平面視環状に形成され、前記光源部が前記ベゼル部材の全体に光を照射するように設けられ、前記ベゼル部材が、該ベゼル部材の外縁部から内縁部に向かうに従って厚さが徐々に変化するように形成されていることを特徴とするベゼル体である。
【０００８】
請求項２に記載された発明は、車両のインストルメントパネルにおけるフロントガラスとの対向壁に嵌め込まれて当該インストルメントパネル内に配置された画像投影機が前記フロントガラスに画像を投影するための開口の周縁の一部又は全部を形成するベゼル部材を有するベゼル体であって、前記ベゼル部材の内側に設けられ、前記ベゼル部材に向かって光を照射する光源部を備え、前記ベゼル部材が、前記光源部から照射された光が前記フロントガラスに投影されるように、少なくとも一部が前記光源部の光を透過するように構成され、前記ベゼル体における前記光源部から照射された光を透過させる部分が、前記フロントガラスに所定の情報を示す記号の形状を有していることを特徴とするベゼル体である。
【０００９】
請求項３に記載された発明は、請求項１に記載された発明において、前記光源部が、前記ベゼル部材の外縁部及び内縁部の少なくとも一方に対向して配置されていることを特徴とするものである。
【００１０】
請求項４に記載された発明は、車両のインストルメントパネル内に配置された画像投影機と、前記インストルメントパネルにおけるフロントガラスとの対向壁に嵌め込まれて前記画像投影機が前記フロントガラスに画像を投影するための開口の周縁の一部又は全部を形成するベゼル部材を有するベゼル体と、を備える車両用表示装置であって、前記ベゼル体が、請求項１〜３のいずれか１項に記載のベゼル体で構成されていることを特徴とする車両用表示装置である。
【発明の効果】
【００１３】
請求項１及び２に記載された発明によれば、ベゼル部材の内側に設けられ、ベゼル部材に向かって光を照射する光源部を備え、ベゼル部材が、光源部から照射された光がフロントガラスに投影されるように、少なくとも一部が光源部の光を透過するように構成されている。このことから、画像投影機によりフロントガラスに投影される画像以外に光源部から照射された光を用いて、様々な視覚効果を演出することができる。
【００１４】
請求項１に記載された発明によれば、ベゼル部材の全体が光源部の光を透過するように構成され、かつ、ベゼル部材が開口の周縁の全部を形成するように平面視環状に形成されている。このことから、画像投影機によりフロントガラスに投影された画像の周囲を光源部からの光が囲むように投影され、画像投影機によりフロントガラスに投影された画像の視認性を向上させたり、搭乗者に対して注意喚起をしたりすることができる。
【００１５】
請求項３に記載された発明によれば、光源部が、ベゼル部材の外縁部及び内縁部の少なくとも一方に光を照射するように配置されている。このことから、画像投影機によりフロントガラスに投影された画像の周囲を光源部からの光が囲むように投影され、画像投影機によりフロントガラスに投影された画像の視認性を向上させたり、搭乗者に対して注意喚起をしたりすることができる。
【００１６】
請求項１に記載された発明によれば、ベゼル部材が、ベゼル部材の外縁部から内縁部に向かうに従って厚さが徐々に変化するように形成されている。このことから、光源部から照射された光が、画像投影機によりフロントガラスに投影された画像の周囲を囲んで、投影された画像から外方に向かって光の強さが連続的に変化するように投影され、画像投影機がフロントガラスに投影した画像の視認性を向上させたり、搭乗者に対して注意喚起をしたりすることができる。
【００１７】
請求項２に記載された発明によれば、ベゼル体における光源部から照射された光を透過させる部分が、フロントガラスに所定の情報を示す記号の形状を有している。このことから、光源部から照射されてベゼル体の光を透過させる部分を透過した光が、所定の情報を示す記号の形状を有してフロントガラスに投影されることとなり、画像投影機により投影された画像以外にも所定の情報をフロントガラスに示すことができる。
【００１８】
請求項４に記載された発明によれば、請求項１〜３のいずれか１項に記載のベゼル体を備えることから、画像投影機がフロントガラスに投影する画像以外に光源部から照射された光を用いて、様々な視覚効果を演出することができることができる。
【図面の簡単な説明】
【００１９】
【図１】本発明の第一実施形態にかかる車両用表示装置を示す分解斜視図である。
【図２】図１に示された車両用表示装置の矢視Ａ−Ａ線断面を示す図であり、車両用表示装置が車両に組み付けられた状態を示す断面図である。
【図３】図２に示された車両用表示装置の変形例を示す図である。
【図４】図２、図６に示された車両用表示装置を用いてフロントガラスへ光が投影された状態を示す図である。
【図５】図３、図７に示された車両用表示装置を用いてフロントガラスへ光が投影された状態を示す図である。
【図６】本発明の第二実施形態にかかる車両用表示装置におけるベゼル体を示す断面図である。
【図７】図６に示されたベゼル体の変形例を示す図である。
【図８】図６に示されたベゼル体の他の変形例を示す図である。
【図９】図６に示されたベゼル体のさらに他の変形例を示す図である。
【図１０】図８に示されたベゼル体を備える車両用表示装置を用いてフロントガラスへ光が投影された状態を示す図である。
【図１１】図９に示されたベゼル体を備える車両用表示装置を用いてフロントガラスへ光が投影された状態を示す図である。
【図１２】本発明の第三実施形態にかかる車両用表示装置におけるベゼル体を示す平面図である。
【図１３】図１２に示されたベゼル体を備える車両用表示装置を用いてフロントガラスへ光が投影された状態を示す図である。
【図１４】図１２に示されたベゼル体の変形例を示す図である。
【図１５】図１４に示されたベゼル体を備える車両用表示装置を用いてフロントガラスへ光が投影された状態を示す図である。
【図１６】従来の車両用表示装置を示す図である。
【発明を実施するための形態】
【００２０】
（第一実施形態）
本発明の第一実施形態にかかる車両用表示装置及びベゼル体を図１〜図４を参照して説明する。
【００２１】
本実施形態の車両用表示装置１は、車両ＶのインストルメントパネルＩに取り付けられ、フロントガラスＦに対して投影を行うヘッドアップディスプレイ装置として用いられるものであり、画像投影機１０と、ベゼル体２０と、を備えている。なお、本実施形態において、上下方向、前後方向及び左右方向は車両Ｖにおける上下方向、前後方向及び左右方向に対応する。
【００２２】
画像投影機１０は、図１、図２に示すように、表示源１１と、表示源１１からの画像を反射する反射部１２と、表示源１１及び反射部１２が収容される筐体１３と、が設けられている。筐体１３は、合成樹脂を用いた箱状に形成され、上面壁１３ａと、底壁１３ｂと、周壁１３ｃと、上面壁１３ａに設けられた開口１３ｄと、を有している。開口１３ｄは、後述するベゼル部材２１の開口２１３と重ねて配置される。また、画像投影機１０は、表示源１１により投影された画像を反射部１２で反射して開口１３ｄを通じてフロントガラスＦの領域Ｒ１（図４参照）に投影する。これにより、車両Ｖの搭乗者がフロントガラスＦ上に表示された画像として認識する。
【００２３】
ベゼル体２０は、インストルメントパネルＩのフロントガラスＦとの対向壁Ａに設けられた孔Ｋに嵌め込まれるベゼル部材２１と、ベゼル部材２１に向かって光を照射する光源部２２と、ベゼル部材に設けられた後述する開口２１３に取り付けられるカバー２３と、を備えている。カバー２３が取り付けられていることにより、開口３１３から埃や水が内部に侵入することを防止することができる。
【００２４】
ベゼル部材２１は、光透過性の合成樹脂を用いて、平面視環状に形成されている。ベゼル部材２１は、外縁部２１１から内縁部２１２に向かうに従って徐々に下方に向かうように形成されている。ベゼル部材２１には、画像投影機１０がフロントガラスＦに画像を投影するための開口２１３が形成されている。すなわち、ベゼル部材２１は開口２１３の周縁の全部を形成している。ベゼル部材２１は、光拡散剤を含有する合成樹脂により形成されていてもよい。また、ベゼル部材２１と光源部２２との間に光を拡散するための光拡散部材（不図示）が配置されていてもよい。
【００２５】
ベゼル部材２１は、図２に示すように、対向壁Ａに設けられた孔Ｋに嵌め込まれると、ベゼル部材２１の外縁部２１１が対向壁Ａと連なるように配置され、ベゼル部材２１の外面（上面）と対向壁Ａの外面とがなめらかに連続するように配置される。このとき、ベゼル部材２１の開口２１３と画像投影機１０の開口１３ｄとが上下方向に重なって配置される。また、ベゼル部材２１は、ベゼル部材２１とインストルメントパネルＩの対向壁ＡとのフロントガラスＦへの映り込みの差が目立たないようにするために、例えば、対向壁Ａと同様の見た目とする色合いの調整や表面加工などが行われている。
【００２６】
光源部２２は、図２に示すように、ベゼル部材２１の外縁部２１１の内側（下側）全体と対向するように配置されている。また、光源部２２は、ＬＥＤ等の光源を有しており、ベゼル部材２１に向かって光を照射することができる。ベゼル部材２１に向かって照射された光は、ベゼル部材２１を透過してフロントガラスＦに投影される。
【００２７】
図４は、光源部２２から照射された光がフロントガラスＦに投影された状態を模式的に示す図である。図４に示すように、画像投影機１０によりフロントガラスＦに投影された画像が表示される領域Ｒ１は、光源部２２から照射された光が投影される領域Ｒ２により囲まれている。また、図２に示すように、光源部２２がベゼル部材２１の外縁部２１１の内側（下側）に配置されていることから、光源部２２からベゼル部材２１を通じてフロントガラスＦに投影された光は、領域Ｒ２の内周から外周に向かうに従って徐々に明るくなるように変化している。また、光拡散剤を含有する合成樹脂によりベゼル部材２１が形成されている場合や、ベゼル部材２１と光源部２２との間に光を拡散するための光拡散部材が配置されている場合には、ベゼル部材２１又は光拡散部材によって光源部２２から照射された光が拡散されて、例えば光源部２２におけるＬＥＤ等の光源の配置に起因したフロントガラスＦに投影される光のムラを抑制することができる。
【００２８】
本実施形態によれば、車両用表示装置１が備えるベゼル体２０は、ベゼル部材２１の内側に設けられ、ベゼル部材２１に向かって光を照射する光源部２２を備え、ベゼル部材２１が、光源部２２から照射された光がフロントガラスＦに投影されるように、光源部２２の光を透過するように構成されている。このことから、画像投影機１０によりフロントガラスＦに投影される画像以外に光源部２２から照射された光を用いて、様々な視覚効果を演出することができる。
【００２９】
また、ベゼル部材２１が、光透過性の合成樹脂を用いて形成され、開口２１３の周縁の全部を形成するように平面視環状に形成されている。このことから、画像投影機１０によりフロントガラスＦに投影された画像の周囲を光源部２２からの光が囲むように投影され、画像投影機１０によりフロントガラスＦに投影された画像の視認性を向上させたり、搭乗者に対して注意喚起をしたりすることができる。
【００３０】
なお、本発明は、前記実施形態に限定されるものではなく、本発明の目的が達成できる他の構成等を含み、以下に示すような変形例等も本発明に含まれる。
【００３１】
本実施形態においては、光源部２２がベゼル部材２１の外縁部２１１の内側（下側）全体と対向するように配置されていたが、本発明のベゼル部材においては、光源部２２がベゼル部材２１の外縁部２１１及び内縁部２１２の少なくとも一方に光を照射するように配置されていればよく、図３に示す車両用表示装置１Ａのように、光源部２２がベゼル部材２１の内縁部２１２の内側（下側）全体と対向するように配置されていてもよい。この場合、図５に示すように、光源部２２からベゼル部材２１を通じてフロントガラスＦに投影された光は、領域Ｒ２の内周から外周に向かうに従って徐々に暗くなるように変化している。
【００３２】
また、光源部２２がベゼル部材２１の外縁部２１１及び内縁部２１２の内側（下側）全体と対向するように配置されていてもよい。この場合、光源部２２からベゼル部材２１を通じてフロントガラスＦに投影された光は、領域Ｒ２の内周及び外周から中間部分に向かうに従って徐々に暗くなるように変化する。
【００３３】
（第二実施形態）
本発明の第二実施形態にかかる車両用表示装置を図４〜図１１を参照して説明する。なお、本実施形態において、前述した第一実施形態と同一構成部分には、同一符号を付して説明を省略する。
【００３４】
本実施形態の車両用表示装置は、車両ＶのインストルメントパネルＩに取り付けられ、フロントガラスＦに対して投影を行うヘッドアップディスプレイ装置として用いられるものであり、画像投影機１０（図１、図２参照）と、ベゼル体３０と、を備えている。
【００３５】
ベゼル体３０は、図６に示すように、インストルメントパネルＩのフロントガラスＦとの対向壁Ａに設けられた孔Ｋに嵌め込まれるベゼル部材３１と、ベゼル部材３１に向かって光を照射する光源部２２と、ベゼル部材３１に設けられた後述する開口３１３に取り付けられるカバー２３と、を備えている。
【００３６】
ベゼル部材３１は、第一実施形態のベゼル部材２１と形状が異なるベゼル部材である。図６に示すように、ベゼル部材３１は、外縁部３１１から内縁部３１２に向かうに従って徐々に下方に向かうとともに、厚さが徐々に厚くなるように形成されている。ベゼル部材３１には、画像投影機１０がフロントガラスＦに画像を投影するための開口３１３が形成されている。すなわち、ベゼル部材３１は開口３１３の周縁の全部を形成している。
【００３７】
光源部２２は、例えば、ＬＥＤアレイや有機ＥＬ照明モジュール等を用いて、ベゼル部材３１と略同一の平面視環状に面発光するように構成されている。ベゼル部材３１の外縁部３１１から内縁部３１２に亘ってベゼル部材３１の内側（下側）と対向するように配置されている。これにより、光源部２２から照射された光は、ベゼル部材３１全体に向かって照射される。
【００３８】
図４は、光源部２２から照射された光がフロントガラスＦに投影された状態を模式的に示す図である。図６に示すように、ベゼル部材３１が、外縁部３１１から内縁部３１２に向かうに従って厚さが徐々に厚くなるように形成されていることから、厚く形成された内縁部３１２部分においては、光源部２２からの光が透過されにくくなる。このことから、光源部２２からベゼル部材３１を通じてフロントガラスＦに投影された光は、領域Ｒ２の内周から外周に向かうに従って徐々に明るくなるように変化している。
【００３９】
本実施形態によれば、ベゼル部材３１が、ベゼル部材３１の外縁部３１１から内縁部３１２に向かうに従って厚さが徐々に厚くなるように形成されている。このことから、光源部２２から照射された光が、画像投影機１０によりフロントガラスＦの領域Ｒ１に投影された画像の周囲を囲んで、投影された画像から外方に向かって光の強さが連続的に明るくなるように投影され、画像投影機１０がフロントガラスＦに投影した画像の視認性を向上させたり、搭乗者に対して注意喚起をしたりすることができる。
【００４０】
なお、本発明は、前記実施形態に限定されるものではなく、本発明の目的が達成できる他の構成等を含み、以下に示すような変形例等も本発明に含まれる。
【００４１】
本実施形態においては、ベゼル部材３１が、外縁部３１１から内縁部３１２に向かうに従って厚さが徐々に厚くなるように形成されていたが、本発明のベゼル部材は、ベゼル部材の外縁部から内縁部に向かうに従って厚さが徐々に変化するように形成されていればよく、図７に示すベゼル体３０Ａのように、ベゼル部材３１Ａの外縁部３１１Ａから内縁部３１２Ａに向かうに従って厚さが徐々に薄くなるように形成されていてもよい。この場合、図５に示すように、光源部２２からベゼル部材３１Ａを通じてフロントガラスＦに投影された光は、領域Ｒ２の内周から外周に向かうに従って徐々に明るくなるように変化している。
【００４２】
また、ベゼル部材は、外縁部から内縁部に向かうに従って一様に厚さが変化するように形成されていなくてもよく、例えば、図８に示すベゼル体３０Ｂのように、ベゼル部材３１Ｂの外縁部３１１Ｂから内縁部３１２Ｂに向かうに従って厚さが徐々に厚くなるように形成され、所定の箇所から内縁部３１２Ｂに向かうに従って徐々に薄くなるように形成されていてもよい。この場合、図１０に示すように、光源部２２からベゼル部材３１Ｂを通じてフロントガラスＦに投影された光は、領域Ｒ２の内周及び外周が暗く、内周及び外周から中間部に向かうに従って徐々に明るくなるように変化している。
【００４３】
また、ベゼル部材は、図９に示すベゼル体３０Ｃのように、ベゼル部材３１Ｃの外縁部３１１Ｃから内縁部３１２Ｃに向かうに従って厚さが徐々に薄くなるように形成され、所定の箇所から内縁部３１２Ｃに向かうに従って徐々に厚くなるように形成されていてもよい。この場合、図１１に示すように、光源部２２からベゼル部材３１Ｃを通じてフロントガラスＦに投影された光は、領域Ｒ２の内周及び外周が明るく、内周及び外周から中間部に向かうに従って徐々に暗くなるように変化している。
【００４４】
また、本発明のベゼル部材は上記の形状に限られず、ベゼル部材の外縁部及び内縁部に向かうに従って、厚さが徐々に厚くなるように形成された部分と、徐々に薄くなるように形成された部分と、が複数回繰り返されて形成されていてもよい。
【００４５】
（第三実施形態）
本発明の第三実施形態にかかる車両用表示装置３を図１２〜図１５を参照して説明する。なお、本実施形態において、前述した第一実施形態と同一構成部分には、同一符号を付して説明を省略する。
【００４６】
本実施形態の車両用表示装置３は、車両ＶのインストルメントパネルＩに取り付けられ、フロントガラスＦに対して投影を行うヘッドアップディスプレイ装置として用いられるものであり、画像投影機１０（図１、図２参照）と、ベゼル体４０と、を備えている。
【００４７】
ベゼル体４０は、インストルメントパネルＩのフロントガラスＦとの対向壁Ａに設けられた孔Ｋに嵌め込まれるベゼル部材４１と、ベゼル部材４１に向かって光を照射する光源部２２と、ベゼル部材４１に設けられた後述する開口４１３に取り付けられるカバー２３と、を備えている（図１、図２参照）。本実施形態において、光源部２２は、ベゼル部材２１の後述する光透過部分４１４の内側（下側）と対向するように配置されている。
【００４８】
図１２は、ベゼル部材４１を裏側（インストルメントパネルＩに嵌め込まれたときの下方側）から見た平面図である。なお、図１２の上方側が車両Ｖの後方側に対応し、下方側が車両Ｖの前方側に対応する。ベゼル部材４１は、平面視環状で、外縁部４１１から内縁部４１２に向かうに従って徐々に下方に向かうように形成されている。すなわち、ベゼル部材２１は開口２１３の周縁の全部を形成している。また、ベゼル部材４１の開口４１３よりも車両後方側（図１２における上方側）には、光源部２２からの光を透過する光透過部分４１４（請求項における「光源部から照射された光を透過させる部分」）が設けられている。光透過部分４１４は、三角形とその内側に配置された感嘆符との形状を有して形成されている。光透過部分４１４に形成されたこの形状は、車両Ｖの搭乗者に対する注意喚起の意味を示している。
【００４９】
また、ベゼル部材４１は、光透過部分４１４以外の部分が光を透過しないように形成されている。例えば、ベゼル部材４１が透明な材料により形成され、光透過部分４１４以外の部分が遮光塗料等を用いて塗装されることにより、光透過部分４１４以外の部分が光を透過しないように形成されている。なお、光透過部分４１４の縁の周囲にマスキングを施したり、光透過部分４１４の縁の周囲を光透過部分４１４よりも肉厚に形成したりすることにより光を透過しないようにされていてもよい。また、例えば、ベゼル部材４１が、光を透過しない材料を用いて形成されるとともに光透過部分４１４の形状に形成された孔を有し、当該孔に光透過部分４１４の形状を有する透明な部材を嵌め込むことにより光透過部分４１４を形成してもよい。
【００５０】
また、光透過部分４１４は、光透過部分４１４に形成された形状がフロントガラスＦに投影された際に歪みなく正常に表示されるように、表示させたい形状に比べて歪んだ形状に形成されていてもよい。すなわち、光透過部分４１４が有する形状には、いわゆるワーピングが施されていてもよい。
【００５１】
図１３は、光源部２２から照射された光がフロントガラスＦに投影された状態を模式的に示す図である。図１３に示すように、光源部２２から照射された光は、光透過部分４１４を通じて、画像投影機１０がフロントガラスＦに投影した画像（図１３に示すＳ１部分）の上方に、三角形の内部に感嘆符の形状を有する記号（図１３に示すＳ２部分）として投影される。
【００５２】
また、光源部２２は、例えば図１３に示すように、ＥＣＵ（不図示）が前方車両の接近や車線の逸脱等を検出して画像投影機１０が警告表示（搭乗者に対してブレーキをかけることを促す「ブレーキ！」の表示）をフロントガラスＦに投影したときに、ベゼル部材４１に向かって光を照射するように制御されている。これにより、図４のＳ２に示すように、光源部２２から光透過部分４１４に向かって照射された光が三角形の内部に感嘆符の形状を有する記号としてフロントガラスＦに投影され、搭乗者に対して注意喚起をすることができる。
【００５３】
本実施形態によれば、ベゼル部材４１の光透過部分４１４がフロントガラスＦに搭乗者に対する注意喚起の意味を示す記号の形状を有している。このことから、光源部２２から照射されて光透過部分４１４を透過した光が、注意喚起の情報を示す記号の形状を有してフロントガラスに投影されることとなり、画像投影機１０により投影された画像Ｓ１以外にもフロントガラスに注意喚起の情報を表示することができる。
【００５４】
なお、本発明は、前記実施形態に限定されるものではなく、本発明の目的が達成できる他の構成等を含み、以下に示すような変形例等も本発明に含まれる。
【００５５】
例えば、本実施形態においては、ベゼル部材４１は開口４１３の周縁の全部を形成する平面視環状に形成されていたが、光透過部分４１４が設けられる一部のみを有して形成されていてもよい。例えば、ベゼル部材４１においては、車両後方側に配置される部分のみを有して形成されていてもよい。
【００５６】
本実施形態においては、光透過部分４１４は、搭乗者に対する注意喚起の意味を示す三角形の内側に感嘆符の形状を有して形成されていたが、光透過部分がフロントガラスＦに所定の情報を示す記号の形状を有していればよく、他の形状を有していてもよい。例えば、図１４、図１５に示すベゼル体４０Ａが有するベゼル部材４１Ａにおける光透過部分４１４Ａのように、左右それぞれの方向を示す矢印記号の形状を有していてもよい。
【００５７】
図１５は、光源部２２から照射された光がフロントガラスＦに投影された状態を模式的に示す図である。図１５に示すように、光源部２２から照射された光は、光透過部分４１４Ａを通じて、画像投影機１０がフロントガラスＦに投影した画像（図１５に示すＳ１Ａ部分）の上方に、左方向を示す矢印及び右方向を示す矢印の形状を有する記号（図１５に示すＳ２Ａ部分）として投影される。例えば、交差点に接近したときに曲がる方向を示すなど、カーナビゲーションシステム等の表示に合わせて光源部２２を点灯させることにより、矢印記号がフロントガラスＦに投影され、搭乗者に対して交差点において曲がる方向を分かりやすく示すことができる。
【００５８】
また、前記各実施形態においては、画像投影機１０とベゼル体とが組み合わされて車両用表示装置として車両Ｖに取り付けられていたが、画像投影機１０とベゼル体とが別体とされており、それぞれが別々に車両Ｖに取り付けられていてもよい。
【００５９】
その他、本発明を実施するための最良の構成、方法などは、以上の記載で開示されているが、本発明は、これに限定されるものではない。すなわち、本発明は、主に特定の実施形態に関して特に図示され、且つ、説明されているが、本発明の技術的思想および目的の範囲から逸脱することなく、以上述べた実施形態に対し、形状、材質、数量、その他の詳細な構成において、当業者が様々な変形を加えることができるものである。
【００６０】
従って、上記に開示した形状、材質などを限定した記載は、本発明の理解を容易にするために例示的に記載したものであり、本発明を限定するものではないから、それらの形状、材質などの限定の一部、もしくは全部の限定を外した部材の名称での記載は、本発明に含まれるものである。
【符号の説明】
【００６１】
１        車両用表示装置
１０      画像投影機
２０、３０、４０      ベゼル体
２１、３１、４１      ベゼル部材
２２      光源部
２３      カバー
２１１、３１１、４１１      外縁部
２１２、３１２、４１２      内縁部
２１３、３１３、４１３      開口
４１４    光透過部分（光源部から照射された光を透過させる部分）
Ｖ        車両
Ｆ        フロントガラス
Ｉ        インストルメントパネル
Ａ        対向壁
Ｋ        孔
【図１】
0006382009.tif 000002
【図２】
0006382009.tif 000003
【図３】
0006382009.tif 000004
【図４】
0006382009.tif 000005
【図５】
0006382009.tif 000006
【図６】
0006382009.tif 000007
【図７】
0006382009.tif 000008
【図８】
0006382009.tif 000009
【図９】
0006382009.tif 000010
【図１０】
0006382009.tif 000011
【図１１】
0006382009.tif 000012
【図１２】
0006382009.tif 000013
【図１３】
0006382009.tif 000014
【図１４】
0006382009.tif 000015
【図１５】
0006382009.tif 000016
【図１６】
0006382009.tif 000017